【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】
液晶パネルに備えられた電極に対して、液晶印加電圧の交流化のタイミングを示す交流化信号に応じた所定の電圧を出力する液晶駆動回路において、
前記交流化信号の変化を検知する手段と、
検知された前記変化に基づいた所定期間を定める手段と、
定められた前記所定期間において、前記所定の電圧を変更する手段と、
変更された電圧を出力する手段を有し、
前記変更する手段での制御に応じて、前記液晶パネルに蓄積される電荷を低減することを特徴とする液晶駆動回路。
【請求項２】
請求項１に記載の液晶駆動回路において、
前記変更する手段は、前記液晶パネルに蓄積する電荷を０になるよう前記電圧を変更することを特徴とする液晶駆動回路。
【請求項３】
請求項１または２に記載の液晶駆動回路において、
当該液晶駆動回路は、前記液晶表示パネルに備えられた対向電極およびストレージ電極に対して、前記交流化信号に従った対向電圧を出力する対向電極駆動回路であって、
前記変更する手段は、前記所定期間において、前記出力する手段での前記対向電圧の出力を抑制することを特徴とする液晶駆動回路。
【請求項４】
請求項３に記載の液晶駆動回路において、
前記出力する手段は、接続先を変更可能なスイッチであり、
前記スイッチは、前記制御する手段での出力に応じて、前記所定期間では無接続状態、それ以外では前記対応電極に接続することを特徴とする液晶駆動回路。
【請求項５】
請求項１または２に記載の液晶駆動回路において、
当該液晶駆動回路は、前記液晶表示パネルに備えられた列電極に、前記液晶パネルに表示する表示データと前記交流化信号に基づいた列電圧を出力する列電極駆動回路であって、
前記交流化信号に従った対向電圧を入力する手段をさらに有し、
前記出力する手段は、入力された前記対向電圧を出力することを特徴とする液晶駆動回路。
【請求項６】
請求項５に記載の液晶駆動回路において、
前記出力する手段に接続され、電圧を出力する複数の端子と接続可能なスイッチであり、
前記スイッチは、前記制御する手段での出力に応じて、前記所定期間では前記対向電圧を出力する端子と接続し、それ以外では前記列圧を出力する端子に接続することを特徴とする液晶駆動回路。
【請求項７】
請求項１乃至６のいずれかに記載の液晶駆動回路において、
前記交流化信号により定められる交流化のタイミングは、前記液晶表示パネルに対する１走査期間毎であることを特徴とする液晶駆動回路。
【請求項８】
マトリックス状に配置された列電極及び行電極と、前記列電極と前記行電極に対向して配置された対向電極と、前記列電極と前記行電極の交差部に配置された画素部であって前記列電極と前記行電極と前記対向電極に接続された前記画素部とを有するアクティブマトリクス型表示パネルを駆動するための表示駆動回路において、
前記画素部をオン状態にするための第１の電位の行電圧と前記画素部をオフ状態にするための第２の電位の行電圧を切り換えて、前記行電極へ出力する行選択回路と、
前記行選択回路と前記画素部の間の前記行電極上に配置された切換回路とを備え、
前記切換回路は、前記第１の電位と前記第２の電位の間の第３の電位と、前記行選択回路側の前記行電極を切り換えることを特徴とする表示駆動回路。
【請求項９】
請求項８に記載の表示駆動回路において、
前記切換回路は、前記行選択回路が前記第１の電位の行電圧と前記第２の電位の行電圧を切り換える場合に、前記第３の電位を一時的に選択することを特徴とする表示駆動回路。
【請求項１０】
請求項９に記載の表示駆動回路において、
前記切換回路は、１走査期間ごとに、１走査期間の後半期間に、前記第３の電位を一時的に選択することを特徴とする表示駆動回路。
【請求項１１】
マトリックス状に配置された列電極及び行電極と、前記列電極と前記行電極に対向して配置された対向電極と、前記列電極と前記行電極の交差部に配置された画素部であって前記列電極と前記行電極と前記対向電極に接続された前記画素部とを有するアクティブマトリクス型表示パネルを駆動するための表示駆動回路において、
前記画素部をオン状態にするための第１の電位の行電圧と前記画素部をオフ状態にするための第２の電位の行電圧を切り換えて、前記行電極へ出力する行選択回路と、
前記行選択回路が前記第１の電位の行電圧と前記第２の電位の行電圧を切り換える場合に、前記第１の電位と前記第２の電位の間の第３の電位に一時的に切り換える切換回路とを備えることを特徴とする表示駆動回路。
【請求項１２】
マトリックス状に配置された列電極及び行電極と、前記列電極と前記行電極に対向して配置された対向電極と、前記列電極と前記行電極の交差部に配置された画素部であって前記列電極と前記行電極と前記対向電極に接続された前記画素部とを有するアクティブマトリクス型表示パネルを駆動するための表示駆動回路において、
前記画素部をオン状態にするための第１の電位の行電圧と前記画素部をオフ状態にするための第２の電位の行電圧を切り換えて、前記行電極へ出力する行選択回路と、
前記行選択回路が前記第１の電位の行電圧と前記第２の電位の行電圧を切り換える場合に、前記行電極を一時的にグランドへショートするショート回路とを備えることを特徴とする表示駆動回路。
【請求項１３】
マトリックス状に配置された列電極及び行電極と、前記列電極と前記行電極に対向して配置された対向電極と、前記列電極と前記行電極の交差部に配置された画素部であって前記列電極と前記行電極と前記対向電極に接続された前記画素部とを有するアクティブマトリクス型表示パネルを駆動するための表示駆動回路において、
電源回路によって生成された複数の列電圧であって複数の階調に対応した前記複数の列電圧から、外部からの表示データに応じた列電圧を選択し、選択された前記列電圧を前記列電極へを出力する列電極駆動回路と、
１走査期間毎に変化する交流化信号に同期して、１走査期間よりも短い期間、前記列電極と前記対向電極をショートするためのショート回路とを備え、
前記ショート回路は、前記交流化信号が変化した場合に、前記列電極と前記対向電極のショートを開始することを特徴とする表示駆動回路。
【請求項１４】
請求項１３に記載の表示駆動回路において、
前記ショート回路は、タイミング信号に従って、前記列電極と前記対向電極のショートを開始し及び前記列電極と前記対向電極のショートを終了し、
前記タイミング信号は、前記交流化信号の信号レベルの変化に同期して第１の信号レベルから第２の信号レベルへ変化し、さらに、前記１走査期間よりも短い期間経過後前記第２の信号レベルから前記第１の信号レベルへ変化することを特徴とする表示駆動回路。
【請求項１５】
請求項１３に記載の表示駆動回路において、
前記ショート回路は、前記列電極と前記対向電極をショートする場合に、前記列電極を前記列電極駆動回路から切り離すことを特徴とする表示駆動回路。
【請求項１６】
請求項１３に記載の表示駆動回路において、
前記ショート回路は、行電極駆動回路から前記行電極へ前記画素部をオン状態にするための行電圧の出力を開始するタイミングから、１走査期間よりも短い他の期間経過後、前記列電極と前記対向電極のショートを開始することを特徴とする表示駆動回路。
【請求項１７】
マトリックス状に配置された列電極及び行電極と、前記列電極と前記行電極に対向して配置された対向電極と、前記列電極と前記行電極の交差部に配置された画素部であって前記列電極と前記行電極と前記対向電極に接続された前記画素部とを有するアクティブマトリクス型表示パネルを駆動するための表示駆動回路のおいて、
電源回路によって生成された複数の列電圧であって複数の階調に対応した前記複数の列電圧から、外部からの表示データに応じた列電圧を選択し、選択された前記列電圧を前記列電極へを出力する列電極駆動回路と、
１走査期間毎に変化する交流化信号に同期して、１走査期間よりも短い期間、前記画素部の電荷を初期化するための回路とを備え、
前記初期化するための回路は、前記交流化信号が変化した場合に、前記画素部の電荷の初期化を開始することを特徴とする表示駆動回路。
【請求項１８】
マトリックス状に配置された列電極及び行電極と、前記列電極と前記行電極に対向して配置された対向電極と、前記列電極と前記行電極の交差部に配置された画素部であって前記列電極と前記行電極と前記対向電極に接続された前記画素部とを有するアクティブマトリクス型表示パネルを駆動するための表示駆動回路において、
外部から表示データ及び制御信号を入力するシステムインターフェースと、
前記システムインターフェースを介して入力された前記表示データを格納するためのメモリと、
前記システムインターフェースを介して入力された前記制御信号に従って、パラメータを設定するためのレジスタと、
電源回路によって生成された複数の列電圧であって複数の階調に対応した前記複数の列電圧から、前記メモリからの前記表示データに応じた列電圧を選択し、選択された前記列電圧を前記列電極へを出力する駆動回路と、
前記レジスタ内の前記パラメータに基づいて、タイミング信号を生成するための制御回路と、
前記タイミング信号に従って、１走査期間よりも短い期間、前記列電極と前記対向電極をショートするためのショート回路とを備えることを特徴とする表示駆動回路。
【請求項１９】
請求項１８に記載の表示駆動回路において、
前記タイミング信号は、１走査期間毎に変化する交流化信号の信号レベルの変化に同期して第１の信号レベルから第２の信号レベルへ変化し、さらに、前記１走査期間よりも短い期間経過後前記第２の信号レベルから前記第１の信号レベルへ変化することを特徴とする表示駆動回路。
【請求項２０】
マトリックス状に配置された列電極及び行電極と、前記列電極と前記行電極に対向して配置された対向電極と、前記列電極と前記行電極の交差部に配置された画素部であって前記列電極と前記行電極と前記対向電極に接続された前記画素部とを有するアクティブマトリクス型表示パネルを駆動するための表示駆動回路において、
電源回路によって生成された複数の列電圧であって複数の階調に対応した前記複数の列電圧から、外部からの表示データに応じた列電圧を選択し、選択された前記列電圧を前記列電極へを出力する列電極駆動回路と、
タイミング信号に従って、１走査期間よりも短い期間、前記列電極と前記対向電極をショートするためのショート回路とを備え、
前記タイミング信号は、システムバスを介して入力される制御信号によってレジスタに設定されたパラメータに基づいて生成されることを特徴とする表示駆動回路。
【請求項２１】
請求項２０に記載の表示駆動回路において、
前記タイミング信号は、１走査期間毎に変化する交流化信号の信号レベルの変化に同期して第１の信号レベルから第２の信号レベルへ変化し、さらに、前記１走査期間よりも短い期間経過後前記第２の信号レベルから前記第１の信号レベルへ変化することを特徴とする表示駆動回路。